(57)【要約】【課題】繊維束の品質を向上することが可能な周期斑検出方法、繊維処理システム、紡績機及び周期斑検出プログラムを提供する。【解決手段】周期斑検出方法は、前工程機１３０によって生成された第１繊維束を後工程機１５０によって少なくともドラフトすることにより第２繊維束を生成する繊維処理システム１００において実行される。周期斑検出方法は、前工程機１３０に関する第１情報を取得する第１取得ステップと、第２繊維束の周期的な太さの斑に関する太さ斑情報を検出する太さ斑検出ステップと、第１情報、太さ斑情報、及び後工程機１５０におけるトータルドラフト比に基づいて、前工程機１３０に起因して第２繊維束に生じている周期斑を特定する周期斑特定ステップと、を備える。【選択図】図１
2020002477.tif 000002
【特許請求の範囲】
【請求項１】
前工程機によって生成された第１繊維束を後工程機によって少なくともドラフトすることにより第２繊維束を生成する繊維処理システムにおいて実行される周期斑検出方法であって、
前記前工程機に関する第１情報を取得する第１取得ステップと、
前記第２繊維束の周期的な太さの斑に関する太さ斑情報を検出する太さ斑検出ステップと、
前記第１情報、前記太さ斑情報、及び前記後工程機におけるトータルドラフト比に基づいて、前記前工程機に起因して前記第２繊維束に生じている周期斑を特定する周期斑特定ステップと、を備える、周期斑検出方法。
【請求項２】
前記周期斑特定ステップでは、前記太さ斑情報として、前記第２繊維束の周期的な太さ斑についての周波数分布又は波長分布を用いて、前記周期斑を特定する、請求項１に記載の周期斑検出方法。
【請求項３】
前記周期斑特定ステップでは、前記トータルドラフト比、並びに前記第１繊維束の繊度、平均太さ、及び繊維長の割合に基づく基準分布と、前記周波数分布又は前記波長分布とを比較することにより、前記周期斑を特定する、請求項２に記載の周期斑検出方法。
【請求項４】
前記周期斑特定ステップでは、前記周波数分布又は前記波長分布に前記周期斑に対応するピークが現れたか否かを判定することにより、前記周期斑を特定する、請求項２又は３に記載の周期斑検出方法。
【請求項５】
前記周波数分布又は前記波長分布を表示画面に出力する第１出力ステップを更に備え、
前記第１出力ステップでは、前記周波数分布又は前記波長分布に現れるピークを、前記周波数分布又は波長分布における前記ピーク以外の部分の表示態様とは異なる表示態様で表示する、請求項２〜４のいずれか一項に記載の周期斑検出方法。
【請求項６】
前記周期斑特定ステップでは、前記第１情報及び前記太さ斑情報に基づいて、前記周期斑の発生原因を推定する、請求項１〜５のいずれか一項に記載の周期斑検出方法。
【請求項７】
前記後工程機に関する第２情報を取得する第２取得ステップを更に備え、
前記周期斑特定ステップでは、前記第２情報に更に基づいて、前記周期斑を特定する、請求項１〜６のいずれか一項に記載の周期斑検出方法。
【請求項８】
前記前工程機は、繊維束をドラフトすることにより前記第１繊維束を生成し、
前記後工程機は、前記前工程機におけるドラフト比よりも高いドラフト比で前記第１繊維束をドラフトする、請求項１〜７のいずれか一項に記載の周期斑検出方法。
【請求項９】
前記後工程機は、前記第１繊維束をドラフトするドラフト装置と、前記ドラフト装置によってドラフトされた前記第１繊維束に撚りを与えて前記第２繊維束として糸を生成する紡績装置と、前記糸を巻き取ってパッケージを形成する巻取装置と、を備える、請求項１〜８のいずれか一項に記載の周期斑検出方法。
【請求項１０】
前記前工程機は、駆動ローラ及び従動ローラを各々が有する複数のローラ対を備え、前記前工程機に供給される繊維束を前記複数のローラ対によってドラフトすることにより、前記第１繊維束を生成し、
前記第１情報は、前記駆動ローラの直径、前記駆動ローラのプーリの歯数、前記駆動ローラに形成された溝のピッチ、前記駆動ローラの駆動ギアの歯数、前記駆動ローラと前記従動ローラとの間の接触圧力、及び、前記前工程機で生成する繊維束が収容されるケンスの直径の少なくとも１つを含む、請求項１〜９のいずれか一項に記載の周期斑検出方法。
【請求項１１】
前記周期斑特定ステップで前記周期斑が特定された場合に、前記周期斑を解消するための情報を出力する第２出力ステップを更に備える、請求項１〜１０のいずれか一項に記載の周期斑検出方法。
【請求項１２】
前記第１取得ステップでは、操作入力及び／又は通信により前記第１情報を取得する、請求項１〜１０のいずれか一項に記載の周期斑検出方法。
【請求項１３】
前記第１取得ステップでは、前記第１繊維束が収容されるケンスに設けられた情報タグの情報を読み取り装置によって読み取ることにより、前記第１情報を取得する、請求項１〜１０のいずれか一項に記載の周期斑検出方法。
【請求項１４】
請求項１〜１３のいずれか一項に記載の周期斑検出方法を前記後工程機として実行する紡績機であって、
前記第１繊維束をドラフトするドラフト装置と、
ドラフトされた前記第１繊維束に撚りを与えて前記第２繊維束として糸を生成する紡績装置と、
前記糸を巻き取ってパッケージを形成する巻取装置と、
前記第１情報を取得する第１取得部と、
前記太さ斑情報を検出する太さ斑検出部と、
前記第１情報、前記太さ斑情報、及びトータルドラフト比に基づいて、前記前工程機に起因して前記糸に生じている周期斑を特定する周期斑特定部と、を備える、紡績機。
【請求項１５】
複数の紡績ユニットを備え、
前記複数の紡績ユニットの各々は、前記ドラフト装置、前記紡績装置及び前記巻取装置を有し、
前記周期斑特定部は、前記複数の紡績ユニットの各々について、前記周期斑を特定する、請求項１４に記載の紡績機。
【請求項１６】
前記紡績装置から前記糸を引き出す引出装置を更に備え、
前記ドラフト装置は、バックローラと、ミドルローラと、フロントローラと、を少なくとも備え、
前記周期斑特定部は、前記トータルドラフト比として、前記バックローラと前記引出装置の周速度の差、又は前記バックローラと前記フロントローラの周速度の差を用いる、請求項１４又は１５に記載の紡績機。
【請求項１７】
第１繊維束を生成する前工程機と、
前記第１繊維束を少なくともドラフトすることにより第２繊維束を生成する後工程機と、
前記前工程機に関する第１情報を取得する第１取得部と、
前記第２繊維束の周期的な太さの斑に関する太さ斑情報を検出する太さ斑検出部と、
前記第１情報、前記太さ斑情報、及び前記後工程機におけるトータルドラフト比に基づいて、前記前工程機に起因して前記第２繊維束に生じている周期斑を特定する周期斑特定部と、を備える、繊維処理システム。
【請求項１８】
前工程機によって生成された第１繊維束を後工程機によって少なくともドラフトすることにより第２繊維束を生成する繊維処理システムにおいて、
前記前工程機に関する第１情報を取得する処理と、
前記第２繊維束の周期的な太さの斑に関する太さ斑情報を検出する処理と、
前記第１情報、前記太さ斑情報、及び前記後工程機におけるトータルドラフト比に基づいて、前記前工程機に起因して前記第２繊維束に生じている周期斑を特定する処理と、をコンピュータに実行させる、周期斑検出プログラム。
【発明の詳細な説明】
【技術分野】
【０００１】
本発明は、周期斑検出方法、繊維処理システム、紡績機及び周期斑検出プログラムに関する。
【背景技術】
【０００２】
従来、繊維束をドラフトするドラフト装置と、ドラフトされた繊維束に撚りを与えて糸を生成する紡績装置と、糸を巻き取ってパッケージを形成する巻取装置と、を備える紡績機が知られている（例えば特許文献１，２参照）。このような紡績機には、例えば練条機等の前工程機で加工された繊維束が供給される。
【先行技術文献】
【特許文献】
【０００３】
【特許文献１】特開２０１４−００９４２２号公報
【特許文献２】特開平０７−１３８８２２号公報
【発明の概要】
【発明が解決しようとする課題】
【０００４】
上記紡績機等のような後工程機に供給される繊維束には、測定器によって検出することができない短波長（高周波数）の太さ斑が含まれている場合がある。このような斑は、後工程機でのドラフト後に、周期斑として現れることがある。後工程機で生成される繊維束の品質を高めるためには、このような周期斑の発生を軽減することが好ましい。
【０００５】
本発明は、繊維束の品質を向上することが可能な周期斑検出方法、繊維処理システム、紡績機及び周期斑検出プログラムを提供することを目的とする。
【課題を解決するための手段】
【０００６】
本発明の周期斑検出方法は、前工程機によって生成された第１繊維束を後工程機によって少なくともドラフトすることにより第２繊維束を生成する繊維処理システムにおいて実行される周期斑検出方法であって、前工程機に関する第１情報を取得する第１取得ステップと、第２繊維束の周期的な太さの斑に関する太さ斑情報を検出する太さ斑検出ステップと、第１情報、太さ斑情報、及び後工程機におけるトータルドラフト比に基づいて、前工程機に起因して第２繊維束に生じている周期斑を特定する周期斑特定ステップと、を備える。
【０００７】
このため、例えば、前工程機に起因する周期斑が特定された場合に、前工程機の運転条件を変更したり、前工程機に生じている不具合を解消したりすることで、当該周期斑の発生を回避することが可能となる。よって、この周期斑検出方法によれば、繊維束の品質を向上することが可能となる。
【０００８】
本発明の周期斑検出方法において、周期斑特定ステップでは、太さ斑情報として、第２繊維束の周期的な太さ斑についての周波数分布又は波長分布を用いて、周期斑を特定してもよい。この場合、後工程機によって第１繊維束がドラフトされることにより、第１繊維束に含まれていた周期斑の間隔が大きくなるため、前工程機に起因する周期斑をより好適に特定することができる。
【０００９】
本発明の周期斑検出方法において、周期斑特定ステップでは、トータルドラフト比、並びに第１繊維束の繊度、平均太さ、及び繊維長の割合に基づく基準分布と、周波数分布又は波長分布とを比較することにより、周期斑を特定してもよい。この場合、基準分布にも基づくことにより、前工程機に起因する周期斑をより一層正確に特定することができる。
【００１０】
本発明の周期斑検出方法において、周期斑特定ステップでは、周波数分布又は波長分布に周期斑に対応するピークが現れたか否かを判定することにより、周期斑を特定してもよい。この場合、前工程機に起因する周期斑をより精度良く特定することができる。
【００１１】
本発明の周期斑検出方法は、周波数分布又は波長分布を表示画面に出力する第１出力ステップを更に備え、第１出力ステップでは、周波数分布又は波長分布に現れるピークを、周波数分布又は波長分布におけるピーク以外の部分の表示態様とは異なる表示態様で表示してもよい。この場合、表示画面を視認したオペレータが、周波数分布又は波長分布に現れるピークを容易に見付けることができる。
【００１２】
本発明の周期斑検出方法において、周期斑特定ステップでは、第１情報及び太さ斑情報に基づいて、周期斑の発生原因を推定してもよい。この場合、前工程機に起因する周期斑の発生原因を知ることが可能となる。
【００１３】
本発明の周期斑検出方法は、後工程機に関する第２情報を取得する第２取得ステップを更に備え、周期斑特定ステップでは、第２情報に更に基づいて、周期斑を特定してもよい。この場合、前工程機に起因する周期斑と後工程機に起因する周期斑とを区別できるため、前工程機に起因する周期斑をより一層精度良く特定することができる。
【００１４】
本発明の周期斑検出方法では、前工程機は、繊維束をドラフトすることにより第１繊維束を生成し、後工程機は、前工程機におけるドラフト比よりも高いドラフト比で第１繊維束をドラフトしてもよい。この場合、前工程機に起因する周期斑が現れ易いため、前工程機に起因する周期斑をより一層好適に特定することができる。
【００１５】
本発明の周期斑検出方法では、後工程機は、第１繊維束をドラフトするドラフト装置と、ドラフト装置によってドラフトされた第１繊維束に撚りを与えて第２繊維束として糸を生成する紡績装置と、糸を巻き取ってパッケージを形成する巻取装置と、を備えてもよい。この場合、そのような後工程機でのドラフト比は一般的に高いため、前工程機に起因する周期斑をより一層好適に特定することができる。
【００１６】
本発明の周期斑検出方法では、前工程機は、駆動ローラ及び従動ローラを各々が有する複数のローラ対を備え、前工程機に供給される繊維束を複数のローラ対によってドラフトすることにより、第１繊維束を生成し、第１情報は、駆動ローラの直径、駆動ローラのプーリの歯数、駆動ローラに形成された溝のピッチ、駆動ローラの駆動ギアの歯数、駆動ローラと従動ローラとの間の接触圧力、及び、前工程機で生成する繊維束が収容されるケンスの直径の少なくとも１つを含んでいてもよい。この場合、周期斑が発生し得る周期を予測できるため、前工程機に起因する周期斑をより一層好適に特定することができる。
【００１７】
本発明の周期斑検出方法は、周期斑特定ステップで周期斑が特定された場合に、周期斑を解消するための情報を出力する第２出力ステップを更に備えてもよい。この場合、前工程機に起因する周期斑が特定された場合に、当該周期斑の発生を回避するための対応を促すことができる。
【００１８】
本発明の周期斑検出方法において、第１取得ステップでは、操作入力及び／又は通信により第１情報を取得してもよい。或いは、第１取得ステップでは、第１繊維束が収容されるケンスに設けられた情報タグの情報を読み取り装置によって読み取ることにより、第１情報を取得してもよい。
【００１９】
本発明の紡績機は、上記周期斑検出方法を後工程機として実行する紡績機であって、第１繊維束をドラフトするドラフト装置と、ドラフトされた第１繊維束に撚りを与えて第２繊維束として糸を生成する紡績装置と、糸を巻き取ってパッケージを形成する巻取装置と、第１情報を取得する第１取得部と、太さ斑情報を検出する太さ斑検出部と、第１情報、太さ斑情報、及びトータルドラフト比に基づいて、前工程機に起因して糸に生じている周期斑を特定する周期斑特定部と、を備える。この紡績機によれば、上述した理由により、繊維束の品質を向上することが可能となる。
【００２０】
本発明の紡績機は、複数の紡績ユニットを備え、複数の紡績ユニットの各々は、ドラフト装置、紡績装置及び巻取装置を有し、周期斑検出部は、複数の紡績ユニットの各々について、周期斑を特定してもよい。この場合、複数の紡績ユニットの各々において繊維束の品質を向上することが可能となる。
【００２１】
本発明の紡績機は、紡績装置から糸を引き出す引出装置を更に備え、ドラフト装置は、バックローラと、ミドルローラと、フロントローラと、を少なくとも備え、周期斑特定部は、トータルドラフト比として、バックローラと引出装置の周速度の差、又はバックローラとフロントローラの周速度の差を用いてもよい。
【００２２】
本発明の繊維処理システムは、第１繊維束を生成する前工程機と、第１繊維束を少なくともドラフトすることにより第２繊維束を生成する後工程機と、前工程機に関する第１情報を取得する第１取得部と、第２繊維束の周期的な太さの斑に関する太さ斑情報を検出する太さ斑検出部と、第１情報、太さ斑情報、及び後工程機におけるトータルドラフト比に基づいて、前工程機に起因して第２繊維束に生じている周期斑を特定する周期斑特定部と、を備える。この繊維処理システムによれば、上述した理由により、繊維束の品質を向上することが可能となる。
【００２３】
本発明の周期斑検出プログラムは、前工程機によって生成された第１繊維束を後工程機によって少なくともドラフトすることにより第２繊維束を生成する繊維処理システムにおいて、前工程機に関する第１情報を取得する処理と、第２繊維束の周期的な太さの斑に関する太さ斑情報を検出する処理と、第１情報、太さ斑情報、及び後工程機におけるトータルドラフト比に基づいて、前工程機に起因して第２繊維束に生じている周期斑を特定する処理と、をコンピュータに実行させる。この周期斑検出プログラムによれば、上述した理由により、繊維束の品質を向上することが可能となる。
【発明の効果】
【００２４】
本発明によれば、繊維束の品質を向上することが可能な周期斑検出方法、繊維処理システム、紡績機及び周期斑検出プログラムを提供することができる。
【図面の簡単な説明】
【００２５】
【図１】一実施形態に係る繊維処理システムの構成を示すブロック図である。
【図２】空気紡績機の正面図である。
【図３】周波数分布及び基準分布の例を示すグラフである。
【図４】一実施形態に係る周期斑検出プログラムを示す図である。
【図５】変形例を説明するための概略図である。
【発明を実施するための形態】
【００２６】
以下、本発明の一実施形態について、図面を参照しつつ詳細に説明する。なお、以下の説明において、同一又は相当要素には同一符号を用い、重複する説明を省略する。
［繊維処理システム］
【００２７】
図１に示されるように、一実施形態に係る繊維処理システム１００は、複数のカード機１１０と、複数の練条機１３０と、複数の空気紡績機１５０と、を備える。
【００２８】
カード機１１０は、カード工程の前工程における混打綿機で生成したラップをカーディング（梳綿）し、繊維束を生成する。例えばカード機１１０は、シート状のラップをくしで削って繊維を分離し、ラップに含まれていたゴミ及び短繊維等を除去する。その後、カード機１１０は、ゴミ及び短繊維の除去後に残った繊維を平行に引き揃えて集束し、紐状の繊維束（カードスライバ）を生成する。カード機１１０は、生成した繊維束をケンス（例えば円筒容器）に収容する。カード機１１０で生成した繊維束は、ケンスに収容された状態で次の工程へ移送される。
【００２９】
練条機１３０は、カード機１１０で生成した繊維束を練条する。練条機１３０は、ドラフト装置１３１を有する。ドラフト装置１３１は、繊維束の走行方向に沿って並べられた複数（例えば３対）のローラ対を有する。各ローラ対は、駆動ローラ及び従動ローラを含んで構成される。練条機１３０は、それらのローラ対によって繊維束をドラフト（延伸）する。例えば、練条機１３０は、６本又は８本の繊維束を合わせて６倍又は８倍にドラフトし、繊維を真っ直ぐにして繊維束の太さの斑を除去する。練条機１３０は、練条した繊維束（第１繊維束）をケンスに収容する。練条機１３０で練条した繊維束は、ケンスに収容された状態で次の工程へ移送される。
【００３０】
空気紡績機１５０は、練条機１３０で練条した繊維束を精紡して糸（第２繊維束）を生成する。空気紡績機１５０は、練条機１３０で練条した繊維束をドラフト及び加撚して糸を生成し、その糸を巻き取ってパッケージを形成する。空気紡績機１５０は、例えばエアジェット紡績機又はオープンエンド紡績機である。エアジェット紡績機は、旋回空気流によって繊維束を紡績して糸を生成する。オープンエンド紡績装置は、コーミングローラ又は空気流によって繊維束の繊維を分離した後、その繊維を再集束させながら加撚して糸を生成する。
【００３１】
このような繊維処理システム１００では、カード機１１０を用いて繊維束を生成するカーディング工程と、カーディング工程で生成した繊維束を練条機１３０を用いて練条する練条工程と、練条工程で練条した繊維束を空気紡績機１５０を用いて精紡して糸を生成する空気紡績工程と、を備えた繊維処理方法が実施される。
【００３２】
繊維処理システム１００では、カード機１１０で生成されて空気紡績機１５０へ供給される繊維束が、練条機１３０を複数回通過する。繊維処理システム１００では、２台のカード機１１０で生成された繊維束が１台の練条機１３０へ供給され、１台の練条機１３０で練条された繊維束が２台の空気紡績機１５０へ供給される。２台のカード機１１０と１台の練条機１３０と２台の空気紡績機１５０とは、繊維処理システム１００において繊維の処理ルートが同じユニットを構築する。
【００３３】
繊維処理システム１００は、スライバラップ工程を実施するスライバラップ装置と、コーミング工程を実施するコーマ機と、を備えていてもよい。この場合、繊維処理方法は、スライバラップ工程及びコーミング工程を備える。スライバラップ工程では、カード機１１０で生成した１８本〜２４本の紐状の繊維束を１枚のシート状にして巻き取り、スライバラップを生成する。コーミング工程では、スライバラップ装置で生成したスライバラップをくしで削り、ゴミ及び短繊維を除去し、除去後に残った長繊維を平行に揃え、均斉な繊維束を生成する。この場合、コーミング工程で生成した繊維束が練条機１３０に供給される。
【００３４】
繊維処理システム１００は、空気紡績機１５０に代えて、粗紡工程を実施する粗紡機、精紡工程を実施するリング精紡機、及び、巻返工程を実施する自動ワインダを備えていてもよい。この場合、繊維処理方法は、空気紡績工程に代えて、粗紡工程、精紡工程及び巻返工程を備える。粗紡工程では、練条機１３０で練条した繊維束をドラフト及び加撚して粗糸を生成する、精紡工程では、粗紡機で生成した粗糸をドラフト及び加撚して糸を生成する。巻返工程では、リング精紡機で生成した糸を巻き取ってパッケージを形成する。
【００３５】
繊維処理システム１００は、繊維束が練条機１３０を１度のみ通過する１パスの構成であってもよい。繊維処理システム１００では、１台のカード機１１０で生成された繊維束が１台の練条機１３０へ供給され、１台の練条機１３０で生成された繊維束が１台の空気紡績機１５０へ供給されてもよい。このようにカード機１１０、練条機１３０及び空気紡績機１５０による繊維の処理ルートは限定されず、空気紡績機１５０に供給される繊維束を最後に練条した練条機１３０を特定可能であればよい。カード機１１０は、ドラフト装置を有していてもよい。ドラフト装置は、例えば、カード機１１０の下流側に設けられ、生成した繊維束をドラフトする。ドラフト装置は、繊維束を分繊して繊維束の平行度を高める。この場合、カード機１１０は、ドラフト装置でドラフトした繊維束をケンスに収容する。
［空気紡績機］
【００３６】
図２を参照しつつ、空気紡績機１５０の構成について更に説明する。図２に示されるように、空気紡績機１５０は、複数の紡績ユニット２と、糸継台車３と、玉揚台車（図示省略）と、第１エンドフレーム４と、第２エンドフレーム５と、複数のユニットコントローラ（周期斑特定部）１０と、を備えている。
【００３７】
複数の紡績ユニット２は、一列に配列されている。各紡績ユニット２は、糸Ｙを生成してパッケージＰに巻き取る。糸継台車３は、ある紡績ユニット２で糸Ｙが切断されたり、何らかの理由で糸Ｙが切れたりした場合、当該紡績ユニット２で糸継動作を行う。玉揚台車は、ある紡績ユニット２でパッケージＰが満巻きになった場合、当該パッケージＰを玉揚げし、新しいボビンＢを当該紡績ユニット２に供給する。
【００３８】
第１エンドフレーム４には、紡績ユニット２で発生した繊維屑及び糸屑等を回収する回収装置等が収容されている。第２エンドフレーム５には、空気紡績機１５０に供給される圧縮空気の空気圧を調整して空気紡績機１５０の各部に空気を供給する空気供給部、及び紡績ユニット２の各部に動力を供給するための駆動モータ等が収容されている。
【００３９】
第２エンドフレーム５には、機台制御装置（第１取得部、第２取得部）５ａ及びタッチパネル画面５ｂが設けられている。機台制御装置５ａは、空気紡績機１５０の各部を集中的に管理及び制御する。タッチパネル画面５ｂは、紡績ユニット２の設定内容及び／又は状態に関する情報等を表示することができる。オペレータは、タッチパネル画面５ｂに表示されるボタン５ｃを用いて適宜の操作入力を行うことにより、紡績ユニット２の設定作業を行うことができる。
【００４０】
ユニットコントローラ１０は、所定数の紡績ユニット２ごとに設けられている。ユニットコントローラ１０は、紡績ユニット２の動作を制御する。ユニットコントローラ１０は、例えば、オペレーティングシステム及びアプリケーションプログラム等を実行するプロセッサ（例えばＣＰＵ［Central  Processing  Unit］）と、ＲＯＭ［Read Only  Memory］、ＲＡＭ［Random  Access  Memory］及びハードディスク等で構成される記憶部と、ネットワークカード又は無線通信モジュールで構成される通信制御部と、を有するコンピュータである。ユニットコントローラ１０の記憶部には、処理に必要なデータ又はデータベースが記憶されている。ユニットコントローラ１０は、機台制御装置５ａと通信可能に接続されており、機台制御装置５ａに入力された運転条件に基づいて紡績ユニット２の各部の動作を制御する。
【００４１】
各紡績ユニット２は、糸Ｙの走行方向において上流側から順に、ドラフト装置６と、紡績装置７と、糸監視装置（太さ斑検出部、周期斑検出部）８と、テンションセンサ９と、糸貯留装置（引出装置）１１と、ワキシング装置１２と、巻取装置１３と、を備えている。
【００４２】
ドラフト装置６は、練条機１３０によって生成された繊維束（スライバ、第１繊維束）Ｓをドラフトする。ドラフト装置６は、繊維束Ｓの走行方向における上流側から順に、バックローラと、ミドルローラと、フロントローラと、を有しており、これらのローラによって繊維束Ｓをドラフトする。ドラフト装置６は、練条機１３０におけるドラフト比よりも高いドラフト比で繊維束Ｓをドラフトする。紡績装置７は、ドラフト装置６でドラフトされた繊維束Ｓに旋回空気流によって撚りを与えて糸Ｙを生成する。糸貯留装置１１は、紡績装置７から糸Ｙを引き出す。糸貯留装置１１は、紡績装置７と巻取装置１３との間において、糸Ｙの弛みを取る。ワキシング装置１２は、糸貯留装置１１と巻取装置１３との間において、糸Ｙにワックスを付与する。巻取装置１３は、糸ＹをボビンＢに巻き取ってパッケージＰを形成する。
【００４３】
糸監視装置８は、紡績装置７と糸貯留装置１１との間において、走行する糸Ｙの状態を監視する。糸監視装置８は、糸Ｙの周期的な太さの斑に関する太さ斑情報（周期斑情報）を検出する。太さ斑情報は、例えば、糸Ｙの太さの時間的な変化を表す情報である。糸監視装置８は、任意の様式のセンサを含んで構成されてよい。例えば、糸Ｙに光を照射して受光量の変化によって糸Ｙの太さの時間的な変化を検出する光学式センサが用いられてもよいし、電界中に糸Ｙを通過させて静電容量の変化によって糸Ｙの太さの時間的な変化を検出する静電容量式センサが用いられてもよい。また、糸監視装置８は、監視結果に基づいて糸欠陥の有無を検出する。糸監視装置８は、糸欠陥として、例えば、糸Ｙの太さ異常及び／又は糸Ｙに含有されている異物を検出する。更に、糸監視装置８は、糸Ｙの糸道における糸Ｙの有無を検出する。糸監視装置８は、検出結果を示す信号をユニットコントローラ１０に送信する。
【００４４】
テンションセンサ９は、紡績装置７と糸貯留装置１１との間において、走行する糸Ｙのテンションを測定し、テンション測定信号をユニットコントローラ１０に送信する。糸監視装置８及び／又はテンションセンサ９の検出結果に基づきユニットコントローラ１０が異常有りと判断した場合、紡績ユニット２において糸Ｙが切断される。
［周期斑検出方法］
【００４５】
続いて、繊維処理システム１００において実行される周期斑検出方法について説明する。上述したように、繊維処理システム１００では、練条機１３０によって生成された繊維束Ｓ（第１繊維束）を空気紡績機１５０によってドラフト及び加撚することにより、糸Ｙ（第２繊維束）が生成される。すなわち、繊維処理システム１００は、前工程機としての練条機１３０と、後工程機としての空気紡績機１５０と、を備えている。
【００４６】
概略的には、この周期斑検出方法では、練条機１３０に関する第１情報が取得される（第１取得ステップ）。空気紡績機１５０によって、糸Ｙの太さ斑情報が検出される（太さ斑検出ステップ）。第１情報、太さ斑情報、及び空気紡績機１５０におけるトータルドラフト比に基づいて、練条機１３０に起因して糸Ｙに生じている周期斑が検出（特定）される（周期斑検出ステップ、周期斑特定ステップ）。
【００４７】
そのような周期斑は、例えば、練条機１３０の機械的な構成が要因となって生じることもあるし、練条機１３０の部品に生じた傷又は部品の偏心等の不具合が要因となって生じることもある。練条機１３０に起因する周期斑が検出された場合、例えば、練条機１３０のドラフト条件（運転条件）を変更したり、練条機１３０に生じている不具合を解消したりすることで、当該周期斑の発生を軽減することが可能となる。
【００４８】
更に、本実施形態では、空気紡績機１５０に関する第２情報が取得される（第２取得ステップ）。第１情報に加えて第２情報を用いることにより、練条機１３０に起因する周期斑を、空気紡績機１５０に起因する周期斑から区別して検出することができる。その結果、練条機１３０に起因する周期斑をより精度良く検出することができる。
【００４９】
本実施形態に係る周期斑検出方法は、第１取得ステップと、第２取得ステップと、太さ斑検出ステップと、周期斑検出ステップと、第１出力ステップと、第２出力ステップと、を備えている。以下では、空気紡績機１５０のうち１つの紡績ユニット２に着目して説明するが、他の紡績ユニット２においても同様に周期斑検出方法が実行される。
【００５０】
第１取得ステップでは、機台制御装置５ａによって、練条機１３０に関する第１情報が取得される。例えば、機台制御装置５ａは、オペレータがタッチパネル画面５ｂを操作入力した情報を受け付けることにより、第１情報を取得する。第１情報は、練条機１３０によって生成される繊維束Ｓに短波長（高周波数）の斑を生じさせ得る斑要因に関する情報であり、ひいては紡績ユニット２によって生成される糸Ｙに周期斑を生じさせ得る斑要因に関する情報である。第１情報は、例えば、練条機１３０の機械的な構成及び／又はドラフト条件に関する情報等を含んでいる。
【００５１】
第１情報は、例えば、駆動ローラの直径、駆動ローラのプーリの歯数、駆動ローラに形成された溝のピッチ（溝を形成する凸部間の間隔）、駆動ローラの駆動ギアの歯数、及び駆動ローラと従動ローラとの間の接触圧力の少なくとも１つを含んでいる。ここでの駆動ローラは、例えば、ドラフト装置１３１が備えるローラ対のうち、繊維束の走行方向において最も下流側に配置されたローラ対の駆動ローラ（フロントボトムローラ）であるが、他のローラ対の駆動ローラであってもよい。第１情報は、練条機１３０で生成する繊維束を収容するケンスの直径を含んでいてもよい。これは、ケンス収容に起因して繊維束に斑が生じる場合もあるためである。
【００５２】
第２取得ステップでは、機台制御装置５ａによって、紡績ユニット２に関する第２情報が取得される。例えば、機台制御装置５ａは、オペレータがタッチパネル画面５ｂを操作入力した情報を受け付けることにより、第２情報を取得する。第２情報は、糸Ｙに周期斑を生じさせ得る斑要因に関する情報であり、例えば、紡績ユニット２の機械的な構成及び／又はドラフト条件に関する情報等を含んでいる。より具体的には、紡績ユニット２の機械的な構成に関する情報は、例えば、ドラフトローラの直径、ボトムローラのプーリの歯数、ボトムローラの溝ピッチ、ボトムローラの駆動モータのステップ数である。ドラフト条件に関する情報は、例えば、ドラフト比（トータルドラフト比等）、ドラフト速度、ドラフトゲージ（ドラフトローラ対間の距離）である。第２取得ステップは、第１取得ステップよりも前に又は後に行われてもよいし、第１取得ステップと同時に行われてもよい。トータルドラフト比は、例えば、ドラフト装置６のバックローラと糸貯留装置１１の周速度の差、又は、ドラフト装置６におけるバックローラとフロントローラの周速度の差である。
【００５３】
太さ斑検出ステップでは、糸監視装置８によって、糸Ｙの太さ斑情報が検出される。周期斑検出ステップでは、ユニットコントローラ１０によって、練条機１３０に起因する周期斑が検出（特定）される。
【００５４】
図３を参照しつつ、周期斑検出ステップについて更に説明する。周期斑検出ステップでは、糸Ｙの周期的な太さの斑についての周波数分布２１を用いて、練条機１３０に起因する周期斑を検出する。周波数分布２１は、糸監視装置８によって検出された糸Ｙの太さ斑情報に基づいて算出される。周波数分布２１は、基準分布２２と比較される。基準分布２２は、本来得られるはずの周波数分布に相当する理想的な分布である。周波数分布２１及び基準分布２２は、例えば、横軸が周波数で縦軸が強度（カウント数）のグラフ上に表された分布（スペクトログラム）である。
【００５５】
基準分布２２は、例えば、紡績ユニット２に供給される繊維束Ｓの繊度（繊維束Ｓを構成する繊維の太さ）、平均太さ（繊維束Ｓ自体の平均太さ）、及び繊維長の割合（繊維束Ｓに含まれる各繊維の繊維長の割合）に基づいて算出することができる。繊維束Ｓの繊度、平均太さ、及び繊維長の割合の各々は、例えば、所定の測定器によって測定され、タッチパネル画面５ｂを介したオペレータの操作入力により、機台制御装置５ａに入力される。基準分布２２は、紡績ユニット２のドラフト条件（例えばドラフト比）に更に基づいて算出されてもよい。なお、図３では、分布が曲線により表されているが、分布は棒グラフであってもよい。
【００５６】
図３に示されるように、理想的な分布である基準分布２２にも一定の斑（ドラフト斑）が含まれている。実際の周波数分布２１には、ピーク２３のようなピークが現れる場合がある。このようなピーク２３は、練条機１３０又は紡績ユニット２に起因して生じ得る。ユニットコントローラ１０は、ピーク２３が現れた場合、第１情報及び第２情報に基づいて、ピーク２３が練条機１３０に起因して生じた周期斑であるか、それとも紡績ユニット２に起因して生じた周期斑であるかを判定する。
【００５７】
例えば、ユニットコントローラ１０は、第１取得ステップで取得された第１情報及び第２取得ステップで取得された第２情報に基づいて、第１情報に対応する第１周波数ピークと、第２情報に対応する第２周波数ピークとを設定する。第１周波数ピークは１つ又は複数であってもよい。第２周波数ピークは１つ又は複数であってもよい。ユニットコントローラ１０は、ピーク２３が第１周波数ピークの少なくともいずれかに該当する場合、ピーク２３が練条機１３０に起因して生じた周期斑であると判定する。ユニットコントローラ１０は、ピーク２３が第２周波数ピークの少なくともいずれかに該当する場合、ピーク２３が紡績ユニット２に起因して生じた周期斑であると判定する。このような処理により、練条機１３０に起因する周期斑を、紡績ユニット２に起因する周期斑から区別して検出することができる。
【００５８】
更に、周期斑検出ステップでは、練条機１３０に起因する周期斑の発生原因を推定してもよい。練条機１３０の機械的な構成の各々及び／又はドラフト条件によって、空気紡績機１５０で検出されるピーク２３の値は異なる。例えば、ユニットコントローラ１０は、第１取得ステップで取得された第１情報に基づいて、第１情報の各々（駆動ローラの直径、駆動ローラのプーリの歯数等）に応じた異なる周波数ピークを設定し、ピーク２３がどの周波数ピークに該当するかを判定する。これにより、練条機１３０に起因する周期斑の具体的な発生原因を推定することができる。
【００５９】
第１出力ステップでは、周波数分布２１及び基準分布２２を表示画面に出力する。例えば、ユニットコントローラ１０は、周波数分布２１及び基準分布２２を表示するようにタッチパネル画面５ｂを制御する。つまり、この場合、第１出力ステップは、第１出力部としてのタッチパネル画面５ｂによって実行される。第１出力ステップでは、周波数分布２１に現れるピーク２３が、周波数分布２１におけるピーク２３以外の部分の表示態様とは異なる表示態様で表示される。例えば、ピーク２３と、ピーク２３以外の部分とは、棒の色、種類又は太さ等が互いに異なるように表示される。これにより、タッチパネル画面５ｂを視認したオペレータが、周波数分布２１に現れるピーク２３を容易に見付けることができる。
【００６０】
第２出力ステップでは、周期斑検出ステップで練条機１３０に起因する周期斑が検出された場合に、当該周期斑を解消するための情報を出力する。例えば、ユニットコントローラ１０は、当該周期斑を解消するための情報を表示するようにタッチパネル画面５ｂを制御する。つまり、この場合、第２出力ステップは、第２出力部としてのタッチパネル画面５ｂによって実行される。出力される情報は、例えば、周期斑の発生原因（発生箇所）を示す表示であってもよいし、検出された周期斑を解消するための方法又はアドバイス等であってもよい。
【００６１】
周期斑検出に関する２つの具体例を説明する。第１の例として、紡績ユニット２に供給される繊維束Ｓには、練条機１３０のドラフト装置１３１が有するフロントローラに形成された溝のピッチに起因する２ｍｍ程度の斑（潜在斑）が含まれている場合がある。このような斑は、紡績ユニット２によって例えば２００倍のドラフトを行うと４００ｍｍの周期斑になって糸Ｙに現われるため、糸監視装置８によって検出することができる。本実施形態の周期斑検出方法では、このような周期斑を検出することが可能となる。この場合、第２出力ステップでは、例えば、練条機１３０のドラフト条件の変更を促すための表示がタッチパネル画面５ｂに出力される。
【００６２】
第２の例として、紡績ユニット２に供給される繊維束Ｓには、練条機１３０のドラフト装置１３１が有するフロントローラに生じた傷又は偏心に起因する斑が含まれている場合がある。このような斑は、紡績ユニット２によってドラフトを行うと周期斑になって糸Ｙに現われるため、糸監視装置８によって検出することができる。本実施形態の周期斑検出方法では、このような周期斑を検出することが可能となる。この場合、第２出力ステップでは、例えば、フロントローラの傷又は偏心の修復を促すための表示がタッチパネル画面５ｂに出力される。
［周期斑検出プログラム］
【００６３】
図４に示されるように、ユニットコントローラ１０の記憶部１０ａ内には、周期斑検出プログラムＣが記憶されている。記憶部１０ａは、周期斑検出プログラムＣを格納した非一時的なコンピュータ読み取り記憶媒体である。ユニットコントローラ１０は、周期斑検出プログラムＣをプロセッサに読み込ませて実行することによって周期斑検出方法を実現する。周期斑検出プログラムＣは、第１取得モジュールＣ１と、第２取得モジュールＣ２と、太さ斑検出モジュールＣ３と、周期斑検出モジュールＣ４と、第１出力モジュールＣ５と、第２出力モジュールＣ６と、を含んでいる。第１取得モジュールＣ１、第２取得モジュールＣ２、太さ斑検出モジュールＣ３、周期斑検出モジュールＣ４、第１出力モジュールＣ５及び第２出力モジュールＣ６を実行させることにより実現される処理は、上述した第１取得ステップ、第２取得ステップ、太さ斑検出ステップ、周期斑検出ステップ、第１出力ステップ及び第２出力ステップの処理とそれぞれ同様である。周期斑検出プログラムＣは、例えば、ＣＤ−ＲＯＭ、ＤＶＤ−ＲＯＭ、半導体メモリなどの有形の記録媒体に固定的に記録された上で提供されてもよい。或いは、周期斑検出プログラムＣは、データ信号として通信ネットワークを介して提供されてもよい。
［作用及び効果］
【００６４】
以上説明したように、本実施形態の周期斑検出方法では、繊維束Ｓを生成する練条機１３０に関する第１情報、及び、紡績ユニット２によって生成された糸Ｙの太さ斑情報に基づいて、練条機１３０に起因して糸Ｙに生じる周期斑が検出される。そのため、例えば、練条機１３０に起因する周期斑が検出された場合に、練条機１３０の運転条件を変更したり、練条機１３０に生じている不具合を解消したりすることで、当該周期斑の発生を回避することが可能となる。よって、本実施形態の周期斑検出方法によれば、繊維束（繊維束Ｓ及び糸Ｙ）の品質を向上することが可能となる。更に、この周期斑検出方法によれば、各紡績ユニット２で生成される糸Ｙを常時モニタすることにより、練条機１３０に起因して糸Ｙに生じる周期斑の検出が可能となる。すなわち、一般的な測定器を用いる場合、空気紡績機１５０でドラフトされる前の繊維束Ｓの一部についてしか測定を行うことができないが、本実施形態の周期斑検出方法では、空気紡績機１５０でドラフトされる繊維束Ｓの全てについて検出を行うことができる。
【００６５】
周期斑検出ステップでは、太さ斑情報として、糸Ｙの周期的な太さの斑についての周波数分布２１を用いて、練条機１３０に起因する周期斑が検出される。これにより、紡績ユニット２によって繊維束Ｓがドラフトされることにより、繊維束Ｓに含まれていた周期斑の間隔が大きくなるため、練条機１３０に起因する周期斑をより好適に検出することができる。
【００６６】
周期斑検出ステップでは、空気紡績機１５０におけるトータルドラフト比、並びに繊維束Ｓの繊度、平均太さ、及び繊維長の割合に基づく基準分布２２と、周波数分布２１とを比較することにより、練条機１３０に起因する周期斑が検出される。これにより、基準分布２２にも基づくことにより、練条機１３０に起因する周期斑をより一層正確に検出することができる。
【００６７】
周期斑検出ステップでは、周波数分布２１に周期斑に対応するピークが現れたか否かを判定することにより、周期斑が検出される。これにより、練条機１３０に起因する周期斑をより精度良く検出することができる。
【００６８】
第１出力ステップでは、周波数分布２１に現れるピーク２３が、周波数分布２１におけるピーク２３以外の部分の表示態様とは異なる表示態様で表示される。これにより、表示画面を視認したオペレータが、周波数分布２１に現れるピーク２３を容易に見付けることができる。
【００６９】
周期斑検出ステップでは、第１情報及び太さ斑情報に基づいて、練条機１３０に起因する周期斑の発生原因が推定される。これにより、練条機１３０に起因する周期斑の発生原因を知ることが可能となる。このような周期斑検出方法は、練条機１３０及び練条機１３０に起因する周期斑等に関する深い知識が無くとも（オペレータが熟練者ではなくとも）、練条機１３０に起因する周期斑の発生原因を知ることができる点で有利である。
【００７０】
周期斑検出ステップでは、第２情報に更に基づいて、練条機１３０に起因する周期斑が検出される。これにより、練条機１３０に起因する周期斑と空気紡績機１５０に起因する周期斑とを区別できるため、練条機１３０に起因する周期斑をより一層精度良く検出することができる。
【００７１】
紡績ユニット２が、練条機１３０におけるドラフト比よりも高いドラフト比で繊維束Ｓをドラフトする。これにより、練条機１３０に起因する周期斑が現れ易いため、練条機１３０に起因する周期斑をより一層好適に検出することができる。
【００７２】
紡績ユニット２が、繊維束Ｓをドラフトするドラフト装置６と、ドラフト装置６によってドラフトされた繊維束Ｓに撚りを与えて糸Ｙを生成する紡績装置７と、糸Ｙを巻き取ってパッケージＰを形成する巻取装置１３と、を備えている。このような紡績ユニット２では、パッケージＰに巻き取られる糸Ｙの合計長さが長く、ドラフト比も練条機１３０よりも高いため、練条機１３０に起因する周期斑をより一層好適に検出することができる。
【００７３】
第１情報が、駆動ローラの直径、駆動ローラのプーリの歯数、駆動ローラに形成された溝のピッチ、駆動ローラの駆動ギアの歯数、駆動ローラと接触ローラとの間の接触圧力、及び、練条機１３０で生成する繊維束が収容されるケンスの直径の少なくとも１つを含んでいる。これにより、周期斑が発生し得る周期を予測できるため、練条機１３０に起因する周期斑をより一層好適に検出することができる。
【００７４】
本実施形態の周期斑検出方法は、周期斑検出ステップで練条機１３０に起因する周期斑が検出された場合に、当該周期斑を解消するための情報を出力する第２出力ステップを備えている。これにより、練条機１３０に起因する周期斑が検出された場合に、当該周期斑の発生を回避するための対応を促すことができる。第１取得ステップでは、オペレータの操作入力により第１情報が取得される。
【００７５】
以上、本発明の一実施形態について説明したが、本発明は、上記実施形態に限られない。例えば、各構成の材料及び形状には、上述した材料及び形状に限らず、様々な材料及び形状を採用することができる。
【００７６】
上記実施形態の第１取得ステップでは、操作入力を受け付けることにより機台制御装置５ａが第１情報を取得したが、操作入力に代えて又は加えて、無線通信又は有線通信により第１情報が取得されてもよい。例えば、無線通信により練条機１３０から第１情報が取得されてもよい。この場合、無線通信を行う無線通信部が、第１取得ステップを実行する第１取得部として機能する。第２取得ステップでは、操作入力に代えて又は加えて、無線通信又は有線通信により第２情報が取得されてもよい。タッチパネル画面５ｂに代えて、キーボード又は押しボタン等が用いられてもよい。
【００７７】
上記実施形態の第１取得ステップでは、図５に示されるように、繊維束Ｓが収容されるケンス３１に設けられた情報タグ３２の情報を読み取り装置３３によって読み取ることにより、第１情報が取得されてもよい。読み取り装置３３は、各紡績ユニット２に設けられてもよいし、空気紡績機１５０に１つ設けられてもよい。情報タグ３２への情報の書き込みは、例えば練条機１３０によって行われる。
【００７８】
上記実施形態の周期斑検出ステップでは、ユニットコントローラ１０によって基準分布２２が算出されたが、練条機１３０によって基準分布２２に対応する分布が算出されている場合、練条機１３０から受け付けた当該分布が基準分布２２の代わりに用いられてもよい。練条機１３０のスペクトログラムと空気紡績機１５０のスペクトログラムとでは分布の絶対値が異なるが、相対値は同じであるため、練条機１３０から受け付けた分布を基準分布２２の代わりに用いることができる。上記実施形態の周期斑検出ステップでは、周波数分布２１に代えて、糸Ｙの太さの斑についての波長分布を用いて、練条機１３０に起因する周期斑が検出されてもよい。この場合、波長分布及び基準分布は、例えば、横軸が波長で縦軸が強度のグラフ上に表された分布である。
【００７９】
上記実施形態の周期斑検出ステップは、機台制御装置５ａによって実行されてもよい。或いは、周期斑検出ステップは、練条機１３０及び空気紡績機１５０とは別に設けられたコンピュータによって実行されてもよく、例えば、繊維工場の中央管理コンピュータによって実行されてもよい。上記実施形態の周期斑検出ステップでは、第１情報及び第２情報の双方に基づいて練条機１３０に起因する周期斑が検出されたが、第２情報は必ずしも用いられなくてもよい。
【００８０】
上記実施形態の第１出力ステップでは、周波数分布２１及び基準分布２２がタッチパネル画面５ｂに表示されたが、周波数分布２１及び基準分布２２は、練条機１３０が有する表示装置、又は可般型の表示装置（タブレット又はスマートフォン等を含む）に表示されてもよい。上記実施形態の第２出力ステップでは、周期斑を解消するための情報がタッチパネル画面５ｂに表示されたが、当該情報は、練条機１３０が有する表示装置、又は可般型の表示装置（タブレット又はスマートフォン等を含む）に表示されてもよい。或いは、当該情報が記載された紙が印刷されてもよい。周波数分布２１及び基準分布２２と、周期斑を解消するための情報とは、１つ表示装置に併せて表示されてもよいし、異なる２つの表示装置にそれぞれ表示されてもよい。
【００８１】
上記実施形態において、周期斑検出ステップで練条機１３０に起因する周期斑が検出された場合、第２出力ステップでは、繊維束Ｓの生成開始時点から当該検出までの間に生成された繊維束Ｓ（ケンス）を混打綿機に戻すように促す情報を表示してもよい。或いは、周期斑検出ステップで練条機１３０に起因する周期斑が検出された場合、繊維束Ｓの生成開始時点から当該検出までの間に生成された繊維束Ｓを収容しているケンスを練条機１３０まで自動的に移送させてもよい。繊維束Ｓは糸Ｙ（パッケージＰ）に加工されてしまうと廃棄するしかないが、繊維束Ｓの状態であれば、混打綿機に戻して再利用することができる。
【００８２】
上記実施形態では、前工程機が練条機１３０であり、後工程機が空気紡績機１５０である場合を例に挙げて説明したが、前工程機と後工程機の組み合わせは、これに限られない。例えば、練条機１３０（前工程機）と粗紡機（後工程機）の組み合わせであってもよい。この場合、第１繊維束は練条スライバであり、第２繊維束は粗糸である。或いは、粗紡機（前工程機）とリング精紡機（後工程機）の組み合わせであってもよい。この場合、第１繊維束は粗糸であり、第２繊維束は糸である。すなわち、後工程機は、前工程機によって生成された第１繊維束を少なくともドラフトすることにより第２繊維束を生成する繊維機械であればよく、必ずしも繊維束を加撚する繊維機械でなくてもよい。
【００８３】
上記実施形態では、後工程機としての空気紡績機１５０が周期斑検出方法を実行しているとみなすことができる。空気紡績機１５０は、繊維束Ｓをドラフトするドラフト装置６、ドラフトされた繊維束Ｓに撚りを加えて糸Ｙを生成する紡績装置７、及び、糸Ｙを巻き取ってパッケージＰを形成する巻取装置１３を有する紡績ユニット２と、糸Ｙの周期的な太さの斑に関する太さ斑情報を検出する太さ斑検出部（糸監視装置８）と、繊維束Ｓを生成する前工程機（練条機１３０）に関する第１情報を取得する第１取得部（機台制御装置５ａ）と、第１情報及び太さ斑情報に基づいて、前工程機に起因して糸Ｙに生じている周期斑を検出する周期斑特定部（ユニットコントローラ１０）と、を備えている。空気紡績機１５０は、複数の紡績ユニット２を備え、周期斑特定部は、複数の紡績ユニット２の各々について、前工程機に起因して糸Ｙに生じる周期斑を特定する。
【００８４】
上記実施形態の紡績ユニット２では、機台高さ方向において、上側で供給された糸Ｙが下側で巻き取られるように各装置が配置されていたが、各装置は、下側で供給された糸Ｙが上側で巻き取られるように配置されていてもよい。紡績ユニット２は、糸貯留装置１１ではなく、デリベリローラ対（引出装置）により紡績装置７から糸Ｙを引き出してもよい。ドラフト装置６は、バックローラと、ミドルローラと、フロントローラと、を少なくとも有していればよく、例えばバックローラを一対有していてもよい。
【符号の説明】
【００８５】
２…紡績ユニット、５ａ…機台制御装置（第１取得部）、６…ドラフト装置、７…紡績装置、８…糸監視装置（太さ斑検出部）、１０…ユニットコントローラ（周期斑特定部）、１３…巻取装置、２１…周波数分布、２２…基準分布、３１…ケンス、３２…情報タグ、３３…読み取り装置、１００…繊維処理システム、１３０…練条機（前工程機）、１５０…空気紡績機（後工程機）、Ｃ…周期斑検出プログラム、Ｐ…パッケージ、Ｓ…繊維束、Ｙ…糸。
【図１】
2020002477.tif 000003
【図２】
2020002477.tif 000004
【図３】
2020002477.tif 000005
【図４】
2020002477.tif 000006
【図５】
2020002477.tif 000007